(57)【要約】【課題】風呂掃除はスポンジを手に持って洗い場や狭い浴槽の中の掃除を行っていた。しかし、スポンジが浴槽の隅に届かなく、手を思いっきり伸ばして届けば良いが、不自然な姿勢で常に掃除を行い、体力を必要として、綺麗に掃除が出来なかった。【解決手段】本体部１の中空筒５の中央には支軸２が取付け、支軸２の上方には、本体部１がシャフト３操作にて回動できるように連結部４を設け、シャフト３に連結し、本体部１の中空筒５の左右には回転駆動する回転筒６、７を設け、回転筒６、７の先端は円錐状の蓋８に形成され、回転筒５の内部にはモーター９を内蔵し、本体部１の中空筒５に回転軸１１が設けられ、モーター９の回転によって回転軸１１が回転することにより、回転筒６、７が回転するように設け洗い具１７を左右の回転筒６、７に装着する。【選択図】図１
2017056167.tif 000002
【特許請求の範囲】
【請求項１】
（イ）本体部（１）の中空筒（５）の中央には支軸（２）が取付けられ、支軸（２）の上方には、本体部（１）がシャフト（３）操作によって回動できるように連結部（４）を設け、シャフト（３）に連結されている、
（ロ）本体部（１）の中空筒（５）の左右には回転駆動する回転筒（６）（７）を設け、回転筒（６）（７）の先端は円錐状の蓋（８）に形成されている、
（ハ）回転筒（５）の内部にはモーター（９）を内蔵し、本体部（１）の中空筒（５）に回転軸（１１）が設けられ、モーター（９）の回転によって回転軸（１１）が回転することにより、回転筒（６）（７）が回転するように設け、
（ニ）洗い具（１７）を左右の回転筒（６）（７）にはめ込み装着する、
以上のように構成された風呂掃除具。
【発明の詳細な説明】
【技術分野】
【０００１】  本発明は風呂掃除具に関するものである。
【背景技術】
【０００２】  風呂掃除具はスポンジに洗剤を付けて手にスポンジを持って掃除をするか、ブラシ等が付いた掃除具のブラシを電動回転してブラシを水平に回転させて移動しながら掃除をしていた。
【先行技術文献】
【特許文献】
【０００３】
【特許文献１】  特開２０１０−００４９９６号公報
【特許文献２】  特開２００５−０５８４８３号公報
【特許文献３】  特開２００４−２２３４２８号公報
【特許文献４】  特開２００２−２５３４７３号公報
【発明の概要】
【発明が解決しようとする課題】
【０００４】  従来、風呂掃除を行なうときは、スポンジを手に持って洗い場や狭い浴槽の中の掃除を行っていた。しかしながら、スポンジが浴槽の隅に届かなく、手を思いっきり伸ばして届けば良いが、不自然な姿勢で常に掃除を行わねばならなかった。それゆえ、風呂掃除は体力を必要として、疲れる程に思うように、綺麗に掃除が出来なかった。
更に、夏は暑く、冬は寒く、毎日掃除するのは辛いものがある。
電動の水平回転ブラシを用いて行なう掃除具は、ブラシが水平回転をするため、バランスを保ちながら、汚れている箇所を掃除するには角やＲ形状の所では水平回転しているブラシにて掃除をすることが難しく、水平回転しているブラシに力負けしてしまうので、特に浴槽の隅や角、そして壁面は掃除をするのが大変な労力を費やしてしまう。
【課題を解決するための手段】
【０００５】（イ）本体部（１）の中空筒（５）の中央には支軸（２）が取付けられ、支軸（２）の上方には、本体部（１）がシャフト（３）操作によって回動できるように連結部（４）を設け、シャフト（３）に連結されている、
（ロ）本体部（１）の中空筒（５）の左右には回転駆動する回転筒（６）（７）を設け、回転筒（６）（７）の先端は円錐状の蓋（８）に形成されている、
（ハ）回転筒（５）の内部にはモーター（９）を内蔵し、本体部（１）の中空筒（５）に回転軸（１１）が設けられ、モーター（９）の回転によって回転軸（１１）が回転することにより、回転筒（６）（７）が回転するように設け、
（ニ）洗い具（１７）を左右の回転筒（６）（７）にはめ込み装着して、掃除を行うようにした、
以上のように構成された風呂掃除具。
【発明の効果】
【０００６】  本発明を用いることによって洗い具が回転運動することによって、浴槽の隅や角を簡単に掃除できるので、辛い風呂掃除から開放される。
【図面の簡単な説明】
【０００７】
【図１】本発明本体部を一部切り欠いた斜視図
【図２】本発明の全体斜視図
【図３】本発明の掃除具としてスポンジを用いた左右の正面図
【図４】本発明の掃除具として雑巾を用いた左右の正面図
【図５】本発明の洗い具の一例として雑巾を用いた左右の正面図
【発明を実施するための形態】
【０００８】    以下、本発明の実施の形態について説明していく。
（イ）本発明はＴ字状に形成され、本体部（１）の中空筒（５）の中央には支軸（２）が取付けられ、支軸（２）の上方には、本体部（１）がシャフト（３）操作によって上下左右に回動できるように連結部（４）を設け、シャフト（３）が連結されている。
（ロ）本体部（１）の中空筒（５）の左右には回転駆動する回転筒（６）（７）を設け、回転筒（６）（７）の先端は円錐状の蓋（８）が設けられている。
（ハ）中空筒（５）の内部にはモーター（９）を内蔵し、モーター（９）に歯車（１０）を連結させ、本体部（１）の中空筒（５）に回転軸（１１）が設けられているので、モーター（９）の回転によって回転軸（１１）が回転することにより、回転筒（６）（７）が回転するように設ける。ベアリング（１２）が中空筒（５）の外周に取付けられている。本体部（１）が回転する時に生じる振れを防ぐため、振れ防止用ベアリング（１３）が回転軸（１１）に取付けられている。
（ニ）シャフト（３）の中には乾電池（１４）が収納され、モーター（９）の始動停止用スイッチ（１５）が設けられている。シャフト（３）は掃除の際に伸縮自在になるように、スライド機構部（１６）が用いられている。
本発明は以上のような構造である。
【０００９】  本発明を使用するときは、浴槽を掃除するに当たり図３に示した布製の雑巾上の洗い面を有する洗い具（１７）や袋状の形状のスポンジ状の洗い面を有する洗い具等の袋状の洗い具を用意する。袋状の形状は回転筒（６）（７）の外周に形状に合わせてあり、布製の雑巾上の洗い面を有する洗い具（１７）を左右の回転筒（６）（７）にはめ込み、洗い具（１７）の袋状になっている開放されている両端に留め具（１８）を設け、回転筒（６）（７）の夫々の両端に設けた引っ掛け部（１９）に洗い具（１７）の留め具（１８）で固定し、留め具（１８）を回転筒（６）（７）に装着固定する。
回転筒（６）（７）に留め具（１８）を装着固定すると、いよいよ浴槽の掃除にかかります。浴槽の底や壁面は比較的掃除し易く、始動停止用スイッチ（１５）をスターとさせると、モーター（９）の回転によって、本体部（１）の中空筒（５）に設けられた回転筒（６）（７）が回転して、回転筒（６）（７）に被された洗い具（１７）が回転して浴槽内や外壁、床を掃除することが出来る。掃除箇所によって、シャフト（３）をスライド機構部（１６）により位置を調整することが出来る。
特に浴槽内の底のコーナーは、従来不自然な姿勢で掃除をしなくてはならなかったが、回転筒（６）（７）の先端は円錐状の蓋（８）に形成されているので、掃除をする回転筒（６・７）の先端の円錐状の蓋（８）をコーナーにあてがうことにより、回転する洗い具（１７）によってスムーズに掃除ができるので、無駄な力を入れることなく、そして無理のない姿勢で簡単に掃除が出来る。
掃除の汚れ具合により、洗い具（１７）を雑巾又はスポンジに交換すれば良い。
【００１０】
【符号の説明】
【００１１】１本体部、２支軸、３シャフト、４連結部、５中空筒、６・７回転筒、８円錐状の蓋、９モーター、１０歯車、１１回転軸、１２ベアリング、１３振れ防止用ベアリング、１４乾電池、５始動停止用スイッチ、１６スライド機構部、１７洗い具、１８留め具、１９引っ掛け部
【図１】
2017056167.tif 000003
【図２】
2017056167.tif 000004
【図３】
2017056167.tif 000005
【手続補正書】
【提出日】平成27年11月16日(2015.11.16)
【手続補正１】
【補正対象書類名】明細書
【補正対象項目名】０００７
【補正方法】変更
【補正の内容】
【０００７】
【図１】本発明本体部を一部切り欠いた斜視図
【図２】本発明の全体斜視図
【図３】発明の洗い具として雑巾を用いた左右の正面図